(57)【要約】本発明は、ＡＬＬ−ＩＰ網を有する移動通信システムでの音声トラヒックの伝送方法に関する。ＡＬＬ−ＩＰに基づいた移動通信システムにおいて、呼発信のときヘッダ情報をシグナルフレームにのせて伝送した後音声フレームのみを別途に伝送する移動端末機と、前記シグナルフレームを受信して前記ヘッダ情報を検出して貯蔵し、前記音声フレームの受信のとき前記貯蔵されたヘッダを前記音声フレームに加えてコアネットワークへ伝送するＮｏｄｅ−Ｂとからなる。
2004536509.tif 000002
【特許請求の範囲】
【請求項１】
ＡＬＬ−ＩＰ網を有する符号分割多重接続移動通信システムでシグナルフレームと音声フレームを受信装置へ伝送する送信装置において、
使用者からの呼試み要求に対応した呼設定のとき、前記音声フレームを目的地まで伝達するために要求されるヘッダ情報を、前記シグナルフレームを通じて前記受信装置へ伝送するシグナルフレーム伝送部と、
前記呼設定が完了された後、伝送しようとする音声データのみで前記音声フレームを構成して前記受信装置へ伝送する音声フレーム伝送部と、を備えることを特徴とする装置。
【請求項２】
前記シグナルフレーム伝送部が、
前記呼設定のときヘッダ情報の生成を命令するシグナル処理部と、
前記命令により前記使用者から入力される前記目的地の識別子に対応したヘッダ情報を生成するプロトコルスタックと、
前記ヘッダ情報を前記シグナルフレームを通じて前記受信装置へ伝送する送信部と、を備える請求項１記載の装置。
【請求項３】
前記目的地の識別子は、電話番号とインターネットプロトコルアドレスのうち１つである請求項２記載の装置。
【請求項４】
前記ヘッダ情報は、実時間プロトコルヘッダ情報、使用者データグラムプロトコルヘッダ情報、及びインターネットプロトコルヘッダ情報のうち１つである請求項３記載の装置。
【請求項５】
前記音声フレーム伝送部が、
前記呼設定が完了された後、伝送しようとする音声信号を音声データに変換するコーデックと、
前記音声データにのみなされる前記音声フレームを構成して前記受信装置へ伝送する送信部と、を備える請求項１記載の装置。
【請求項６】
前記シグナルフレーム及び前記音声フレームは、相互に異なる物理チャンネルを通じて伝送される請求項１記載の装置。
【請求項７】
ＡＬＬ−ＩＰ網を有する符号分割多重接続移動通信システムでシグナルフレーム及び音声フレームを受信装置へ伝送する方法において、
使用者からの呼試み要求に対応した呼設定のとき、前記音声フレームを目的地まで伝達するために要求されるヘッダ情報を、前記シグナルフレームを通じて前記受信装置へ伝送するステップと、
前記音声フレームを前記受信装置へ伝送するステップと、を備えることを特徴とする方法。
【請求項８】
前記シグナルフレームを伝送するステップは、
前記呼設定のときヘッダ情報の生成を命令するステップと、
前記命令により前記使用者から入力される前記目的地の識別子に対応したヘッダ情報を生成するステップと、
前記ヘッダ情報を前記シグナルフレームを通じて前記受信装置へ伝送するステップと、からなる請求項７記載の方法。
【請求項９】
前記目的地の識別子は、電話番号及びインターネットプロトコルアドレスのうちの１つである請求項８記載の方法。
【請求項１０】
前記ヘッダ情報は、実時間プロトコルヘッダ情報、使用者データグラムプロトコルヘッダ情報、及びインターネットプロトコルヘッダ情報のうちの１つである請求項９記載の方法。
【請求項１１】
前記音声フレームを伝送するステップは、
前記呼設定が完了された後、伝送しようとする音声信号を音声データに変換するステップと、
前記音声データにのみなされる前記音声フレームを構成して前記受信装置へ伝送するステップと、を備える請求項７記載の方法。
【請求項１２】
前記シグナルフレーム及び前記音声フレームは、相互に異なる物理チャンネルを通じて伝送される請求項７記載の方法。
【請求項１３】
ＡＬＬ−ＩＰ網を有する符号分割多重接続移動通信システムでシグナルフレーム及び音声フレームを少なくとも１つの送信装置から相互に異なる第１及び第２物理チャンネルを通じて受信する方法において、
呼設定要求とともに、前記第１物理チャンネルを通じて受信される前記シグナルフレームから、前記音声フレームを目的地まで伝達するために要求されるヘッダ情報を獲得し、前記獲得したヘッダ情報を前記送信装置を区別するために使用されるコード別に貯蔵するステップと、
前記呼設定が完了されると、前記第２物理チャンネルを通じて受信される前記音声フレームに使用されたコードを抽出し、前記コード別に貯蔵されたヘッダ情報から、前記抽出されたコードに対応するヘッダ情報を検索するステップと、
前記音声フレームに前記検索したヘッダ情報を追加して前記目的地に伝送するステップと、を備えることを特徴とする方法。
【請求項１４】
前記ヘッダ情報は、実時間プロトコルヘッダ情報、使用者データグラムプロトコルヘッダ情報、及びインターネットプロトコルヘッダ情報のうちの１つである請求項１３記載の方法。
【請求項１５】
前記設定された呼の解除が要求されるとき、前記解除が要求された呼のコードに対応して貯蔵されたヘッダ情報を削除するステップをさらに備える請求項１３記載の方法。
【請求項１６】
ＡＬＬ−ＩＰ網を有する符号分割多重接続移動通信システムでシグナルフレーム及び音声フレームを少なくとも１つの送信装置から相互に異なる第１及び第２物理チャンネルを通じて受信する装置において、
呼設定要求とともに、前記第１物理チャンネルを通じて受信される前記シグナルフレームから、前記音声フレームを目的地まで伝達するために要求されるヘッダ情報を獲得するプロトコルスタックと、
前記獲得したヘッダ情報を前記送信装置を区別するために使用されるコード別に貯蔵するヘッダ情報貯蔵部と、
前記呼設定が完了されると、前記第２物理チャンネルを通じて受信された前記音声フレームに使用されるコードに対応するヘッダ情報を前記ヘッダ情報貯蔵部から検索し、前記検索したヘッダ情報を前記音声フレームに追加して前記目的地に伝送するフレーム制御部と、を備えることを特徴とする装置。
【請求項１７】
前記ヘッダ情報は、実時間プロトコルヘッダ情報、使用者データグラムプロトコルヘッダ情報、及びインターネットプロトコルヘッダ情報のうちの１つである請求項１６記載の装置。
【請求項１８】
前記フレーム制御部は、前記設定された呼の解除が要求されるとき、前記解除が要求された呼のコードに対応して前記ヘッダ情報貯蔵部に貯蔵されたヘッダ情報を削除する請求項１６記載の装置。
【請求項１９】
ＡＬＬ−ＩＰ網を有する符号分割多重接続移動通信システムのフレーム伝送方法において、
音声フレームを目的地まで伝達するために要求されるヘッダ情報をシグナルフレームを通じて伝送した後、音声データのみで前記音声フレームを構成して伝送するステップと、
前記シグナルフレームから前記ヘッダ情報を獲得して貯蔵し、前記音声フレームを受信するとき、前記貯蔵されたヘッダ情報を前記音声フレームに追加してコアネットワークへ伝送するステップと、を備えることを特徴とする方法。
【請求項２０】
前記ヘッダ情報は、実時間プロトコルヘッダ情報、使用者データグラムプロトコルヘッダ情報、及びインターネットプロトコルヘッダ情報のうちの１つである請求項１９記載の方法。
【請求項２１】
前記設定された呼の解除が要求されるとき、前記解除が要求された呼のコードに対応して貯蔵されたヘッダ情報を削除するステップをさらに備える請求項１９記載の方法。
【請求項２２】
ＡＬＬ−ＩＰ網を有する符号分割多重接続移動通信システムのフレーム伝送装置において、
音声フレームを目的地まで伝達するために要求されるヘッダ情報をシグナルフレームを通じて伝送した後、音声データのみで前記音声フレームを構成して伝送する移動端末機と、
前記シグナルフレームから前記ヘッダ情報を獲得して貯蔵し、前記音声フレームを受信するとき、前記貯蔵されたヘッダ情報を前記音声フレームに追加してコアネットワークへ伝送する基地局と、を備えることを特徴とする装置。
【請求項２３】
前記ヘッダ情報は、実時間プロトコルヘッダ情報、使用者データグラムプロトコルヘッダ情報、及びインターネットプロトコルヘッダ情報のうちの１つである請求項２２記載の装置。
【請求項２４】
前記基地局は、前記設定された呼の解除が要求されるとき前記解除が要求された呼のコードに対応して貯蔵されたヘッダ情報を削除する請求項２２記載の装置。
【請求項２５】
ＡＬＬ−ＩＰ網を有し、相互に異なる第１及び第２物理チャンネルを通じて移動端末機へシグナルフレーム及び音声フレームを伝送する符号分割多重接続移動通信システムの基地局でコアネットワークから受信される伝送フレームを移動端末機へ伝送する方法において、
前記コアネットワークから受信される伝送フレームの種類を判断するステップと、
前記伝送フレームがシグナルフレームであると判断されるとき、前記伝送フレームのヘッダ情報を除去せず、前記第１物理チャンネルを通じて前記移動端末機へ伝送するステップと、
前記伝送フレームが音声フレームであると判断されるとき、前記伝送フレームのヘッダ情報を除去した後、前記第２物理チャンネルを通じて前記移動端末機へ伝送するステップと、を備えることを特徴とする方法。
【請求項２６】
前記ヘッダ情報は、実時間プロトコルヘッダ情報、使用者データグラムプロトコルヘッダ情報、及びインターネットプロトコルヘッダ情報のうちの１つである請求項２５記載の方法。
【請求項２７】
ＡＬＬ−ＩＰ網を有し、相互に異なる第１及び第２物理チャンネルを通じて移動端末機へシグナルフレーム及び音声フレームを伝送する符号分割多重接続移動通信システムの基地局でコアネットワークから受信される伝送フレームを移動端末機へ伝送する装置において、
前記移動端末機を区別するためのコード別にヘッダ情報を貯蔵するヘッダ情報貯蔵部と、
前記コアネットワークから受信される伝送フレームからヘッダ情報を分離するプロトコルスタックと、
前記コアネットワークから受信される伝送フレームがシグナルフレームであれば、該伝送フレームをヘッダ情報と共に、前記第１物理チャンネルを通じて前記移動端末機へ伝送し、前記伝送フレームが音声フレームであれば、ヘッダ情報を除去された伝送フレームを、前記第２物理チャンネルを通じて前記移動端末機へ伝送するフレーム制御部と、を備えることを特徴とする装置。
【請求項２８】
前記ヘッダ情報は、実時間プロトコルヘッダ情報、使用者データグラムプロトコルヘッダ情報、及びインターネットプロトコルヘッダ情報のうちの１つである請求項２７記載の装置。
【請求項２９】
ＩＰに基づいた移動通信システムの伝送装置において、
ＩＰ通信のためのヘッダを生成し、これをシグナルフレームにのせて伝送するシグナルフレーム伝送部と、
前記シグナルフレームの伝送の後に、ＩＰヘッダを有しないパケットデータを伝送するパケット伝送部と、からなることを特徴とする装置。
【請求項３０】
前記シグナルフレーム伝送部は、
シグナル情報に該当するヘッダ生成命令を出力するシグナル処理部と、
前記ヘッダ生成命令によりヘッダを生成するプロトコルスタックと、
前記生成されたヘッダをシグナルフレームにのせて物理階層を通じて伝送するシグナルフレーム送信部と、からなる請求項２９記載の装置。
【請求項３１】
前記パケット伝送部は、
入力される音声を音声データに変換して出力するコーデックと、
前記音声データを一定のフレーム単位にパケット化して物理階層を通じて伝送するパケットデータフレーム送信部と、からなる請求項２９記載の装置。
【請求項３２】
前記シグナルフレーム及びパケットデータフレームがそれぞれ異なるチャンネルを通じて伝送される請求項２９記載の装置。
【請求項３３】
移動端末機でシグナルフレーム及びパケットデータフレームを異なるチャンネルを通じて伝送するＩＰに基づいた移動通信システムの伝送装置において、
前記シグナルフレームから検出されたヘッダ情報が前記移動端末機の固有のコードにマッピングされるテーブルを生成して貯蔵するヘッダ情報貯蔵部と、
前記移動端末機から伝送されたパケットデータフレームを受信して、前記ヘッダ情報貯蔵部から読み出された前記移動端末機に該当するヘッダを前記パケットデータフレームに加えてコアネットワークへ伝送する伝送フレーム生成部と、からなることを特徴とする装置。
【請求項３４】
ＩＰに基づいた移動通信システムにおいて、
ヘッダ情報をシグナルフレームにのせて伝送した後にデータフレームのみを別途に伝送する移動端末機と、
前記シグナルフレームを受信して前記ヘッダ情報を検出して貯蔵し、前記データフレームの受信のとき、前記貯蔵されたヘッダ情報を該当データフレームに加えてコアネットワークへ伝送する基地局と、からなることを特徴とするＩＰに基づいた移動通信システム。
【請求項３５】
ＩＰに基づいた移動通信システムでの移動局の伝送方法において、
ＩＰ通信のときに使用されるヘッダを生成してシグナルフレームにのせて伝送するステップと、
前記シグナルフレームの伝送の後にＩＰヘッダを有しないデータを伝送するステップと、からなることを特徴とする方法。
【請求項３６】
前記シグナルフレームの伝送ステップが、
シグナル情報に該当するヘッダ生成命令を出力するステップと、
前記ヘッダ生成命令によりヘッダを生成するステップと、
前記生成されたヘッダをシグナルフレームにのせて物理階層を通じて伝送するステップと、からなる請求項３５記載の方法。
【請求項３７】
前記データの伝送ステップが、
入力される音声を音声データに変換して出力するステップと、
前記音声データを一定のフレーム単位にパケット化して物理階層を通じて伝送するステップと、からなる請求項３５記載の方法。
【請求項３８】
移動端末機がシグナルフレーム及びパケットデータフレームをそれぞれ異なるチャンネルを通じて伝送するＩＰに基づいた移動通信システムでの基地局のデータ処理方法において、
前記移動端末機から受信される前記シグナルフレームからヘッダを検出し、前記移動端末機に対するヘッダ情報を含むテーブルを生成してヘッダ情報貯蔵部に貯蔵するステップと、
前記移動端末機から伝送されたパケットデータフレームを受信して、前記テーブルから読み出された前記移動端末機に該当するヘッダを前記パケットデータフレームに加えてコアネットワークへ伝送するステップと、からなることを特徴とする方法。
【請求項３９】
ＩＰに基づいた移動通信システムでのデータの伝送方法において、
移動端末機がＩＰヘッダ情報及び使用者の音声データをそれぞれシグナルフレーム及び音声フレームにパケット化して基地局へ伝送するステップと、
基地局が受信された前記シグナルフレームから検出された前記ＩＰヘッダ情報を貯蔵し、前記音声フレームの受信のときＩＰヘッダを前記音声フレームに加えてコアネットワークへ伝送するステップと、からなることを特徴とする方法。
【発明の詳細な説明】
【技術分野】
【０００１】
本発明は、パケットデータ及び回線データをすべてインターネットプロトコル(Internet Protocol；以下、“ＩＰ”と略称する。)方式で伝送するＡＬＬ−ＩＰ網を支援する移動通信システムの音声またはデータフレームを伝送するための装置及び方法に関し、特に、ＡＬＬ−ＩＰ方式による音声またはデータ伝送フレームからヘッダを除去するための装置及び方法に関する。
【背景技術】
【０００２】
通常に、ＩＭＴ−２０００(International Mobile Telecommunication-2000)網は、パケット網及び回線網のすべてを支援する。最近では、パケット網及び回線網のすべてを支援するＩＭＴ−２０００網でパケット伝送をより効率的に遂行するためにオールアイピー(以下、“ＡＬＬ−ＩＰ”と称する。)網と呼ばれるＩＰ網への統合が試みられている。このようなＡＬＬ−ＩＰ網への統合は、現在ＵＭＴＳ(Universal Mobile Telecommunications System)標準化機構である３ＧＰＰ(3rd Generation Partnership Project)を含む次世代移動通信標準化機関で進行されている。前記ＡＬＬ−ＩＰ網は、データネットワーク形態の開放形構造を有することにより、この後に展開される多様なサービス、特に、ＩＰに基づいたサービスを効果的に導入できるようにする。また、ＡＬＬ−ＩＰ網は、用語の意味そのままに回線サービス、すなわち、音声をパケット化して伝送する機能を遂行する。従って、ＡＬＬ−ＩＰ網では、音声の伝送のとき前記音声を音声データに変換し、前記変換された音声データをフレーム単位(以下、“音声フレーム”と称する。)で伝送するようになる。前記音声フレームは、前記音声データがＩＰ網に適切に伝送されることができるようにＩＰヘッダを備える。
【０００３】
図１は、ＩＰ網を有するＵＭＴＳシステムの構造を示す。図１を参照すると、ＵＭＴＳシステムは、基地局(Ｎｏｄｅ−Ｂ)１１１−２と、Ｎｏｄｅ−Ｂを制御する無線ネットワーク制御器(Radio Network Controller；ＲＮＣ)１２０と、コーネットワーク(Co-network；ＣＮ)１４０と、サービスパケット無線サービス支援ノード(Serving GPRS(General Packet Radio Service)Support Node；ＳＧＳＮ)１３０と、ゲートウェイパケット無線サービス支援ノード(Gateway GPRS Support Node；ＧＧＳＮ)１５０とからなる。移動端末機(mobile Terminal；ＭＴ)１０１は、Ｎｏｄｅ-Ｂ１１１−２、ＲＮＣ１２０、ＳＧＳＮ１３０、及びＧＧＳＮ１５０を通じてＩＰ網１６０に連結される。このとき、移動端末機１０１は、移動フォン(mobile phone)または移動フォンに連結されたパーソナルコンピュータなどになることができる。移動端末機１０１は、音声及びデータの伝送のとき、インターネットプロトコルにより音声及びデータをパケット化して前記構成を通じてＩＰ網１６０に伝送する。
【０００４】
移動端末機１０１は、使用者から音声が入力されると音声を音声データに変換し、前記変換された音声データをフレーム化する。前記移動端末機１０１は、前記フレーム化された音声フレームにヘッダを追加して伝送フレームを生成し、前記生成された伝送フレームをＮｏｄｅ−Ｂ１１１へ伝送する。移動端末機１０１とＮｏｄｅ−Ｂ１１１の構成及び動作を図２を参照して具体的に説明する。
【０００５】
図２において、音声フレーム生成部２０３は、使用者から入力される音声を音声データに変換し、前記変換された音声データをフレーム単位の音声フレームで生成して出力する。シグナル生成部２０１は、入力されるＩＰアドレスまたは電話番号に対する情報を受信し、前記入力された情報に対するヘッダ生成信号を該当プロトコルスタック２０５へ提供する。前記プロトコルスタック２０５は、前記ヘッダ生成信号に応答して実時間プロトコル(Real Time Protocol；以下、“ＲＴＰ”と略称する。)、使用者データグラムプロトコル、及びインターネットプロトコルによるヘッダ情報を生成する。前記プロトコルスタック２０５から生成されたヘッダは、前記音声フレーム生成部２０３から生成された音声フレームの前に追加されて物理階層部２０７で割り当てられたチャンネルを通じてＮｏｄｅ−Ｂ１１１へ伝送される。参照番号２２１は、音声フレーム生成部２０３から出力される音声フレームを示し、参照番号２２３は、ＲＴＰ階層でＲＴＰヘッダが追加された音声フレームを示す。そして、参照番号２２５は、前記ＲＴＰ階層を通じて出力されるＲＴＰヘッダと音声フレームに使用者データグラムプロトコル(User Datagram Protocol；以下、“ＵＤＰ”と略称する。)ヘッダが追加されることを示し、参照番号２２７は、ＩＰ階層で前記ＲＴＰヘッダ及びＵＤＰヘッダが追加された音声フレームにＩＰヘッダがさらに追加されることをそれぞれ示す。参照番号２２７のように、ＲＴＰヘッダ、ＵＤＰヘッダ、及びＩＰヘッダが音声フレームに追加されて伝送フレームを形成し、前記伝送フレームが物理階層部２０７を通じてＮｏｄｅ−Ｂ１１１へ伝送されることをわかる。
【０００６】
Ｎｏｄｅ−Ｂ１１１は、物理階層部２１１を通じて前記移動端末機１０１が伝送した伝送フレームを受信する。フレーム処理部２１３は、物理階層部２１１を通じて受信された伝送フレームのヘッダを検出し、前記検出されたヘッダ情報により音声フレームを処理する。
【０００７】
例えば、既存のＵＭＴＳ適応マルチレート(Adaptive Multi Rate；ＡＭＲ)コーデックを使用して伝送フレームを伝送する場合、ＡＬＬ−ＩＰ網で３０バイトの音声フレームを伝送するためには、伝送フレームに４０バイトのヘッダが挿入される。図３は、伝送フレームの構造を示す。例えば、ＡＭＲコーデックを使用して音声フレームが１５−３２バイトである場合、１２バイトのＲＴＰヘッダ、８バイトのＵＤＰヘッダ、及び２０バイトのＩＰヘッダを含む総４０バイトのヘッダが音声フレームの上位に追加される。さらに、追加的なヘッダが音声フレームに状況に応じて追加されることもできる。その結果、無線リンクを通じて伝送されるフレームのうち実際音声フレームのサイズは、全体トラヒックの５０％にならない。
【０００８】
前述したように、ＡＬＬ−ＩＰ網を適用する移動通信システムでは、データ伝送が行われる間、実際音声データのバイト数より大きいヘッダが含まれることにより無線資源の浪費をもたらす問題点がある。
【発明の開示】
【発明が解決しようとする課題】
【０００９】
上記背景に鑑みて、本発明の目的は、ＩＰ網を適用する移動通信システムで移動端末機とＮｏｄｅ−Ｂとの間の無線区間でトラヒックのオーバーヘッダを減少させることができる伝送装置及び方法を提供することにある。
本発明の他の目的は、ＩＰ網を適用する移動通信システムのＮｏｄｅ−Ｂが移動端末機から受信される音声またはデータフレームにヘッダ情報を追加してコアネットワークへ伝送し、コアネットワークから受信される伝送フレームからヘッダ情報を除去して移動端末機へ伝送する装置及び方法を提供することにある。
本発明のまた他の目的は、ＩＰ網を適用する移動通信システムの移動端末機が音声フレーム及びヘッダ情報を分離して伝送する装置及び方法を提供することにある。
本発明のさらに他の目的は、ＩＰ網を適用し、音声フレーム及びヘッダ情報を分離してそれぞれのチャンネルを通じて伝送する移動端末機を備える移動通信システムのＮｏｄｅ−Ｂが前記ヘッダ情報を受信して貯蔵し、前記ヘッダ情報に対応する移動端末機の音声フレームを受信するとき前記ヘッダ情報を前記音声フレームに追加してコアネットワークへ伝送する装置及び方法を提供することにある。
本発明のさらに他の目的は、ＩＰ網を適用する移動通信システムで移動端末機が音声フレーム及びヘッダ情報を分離してそれぞれのチャンネルを通じて伝送し、Ｎｏｄｅ−Ｂが該当チャンネルを通じて受信されて貯蔵されたヘッダ情報を他のチャンネルを通じて受信された前記音声フレームに追加してコアネットワークへ伝送する装置及び方法を提供することにある。
本発明のさらに他の目的は、コアネットワークから受信される伝送フレームのヘッダ情報を除去し、Ｎｏｄｅ−Ｂから移動端末機へ音声フレームのみを伝送する装置及び方法を提供することにある。
【課題を解決するための手段】
【００１０】
このような目的を達成するための第１見地において、本発明は、ＡＬＬ−ＩＰ網を有する符号分割多重接続移動通信システでシグナルフレームと音声フレームを受信装置へ伝送する送信装置において、使用者からの呼試み要求に対応した呼設定のとき前記音声フレームを目的地まで伝達するために要求されるヘッダ情報を前記シグナルフレームを通じて前記受信装置へ伝送するシグナルフレーム伝送部と、前記呼設定が完了された後、伝送しようとする音声データのみで前記音声フレームを構成して前記受信装置へ伝送する音声フレーム伝送部と、を備えることを特徴とする。
【００１１】
このような目的を達成するための第２見地において、本発明は、ＡＬＬ−ＩＰ網を有する符号分割多重接続移動通信システムでシグナルフレーム及び音声フレームを受信装置へ伝送する方法において、使用者からの呼試み要求に対応した呼設定のとき前記音声フレームを目的地まで伝達するために要求されるヘッダ情報を前記シグナルフレームを通じて前記受信装置へ伝送するステップと、前記音声フレームを前記受信装置へ伝送するステップと、を備えることを特徴とする。
【００１２】
このような目的を達成するための第３見地において、本発明は、ＡＬＬ−ＩＰ網を有する符号分割多重接続移動通信システムでシグナルフレーム及び音声フレームを少なくとも１つの送信装置から相互に異なる第１及び第２物理チャンネルを通じて受信する方法において、呼設定要求とともに前記第１物理チャンネルを通じて受信される前記シグナルフレームから前記音声フレームを目的地まで伝達するために要求されるヘッダ情報を獲得し、前記獲得したヘッダ情報を前記送信装置を区別するために使用されるコード別に貯蔵するステップと、前記呼設定が完了されると、前記第２物理チャンネルを通じて受信される前記音声フレームに使用されたコードを抽出し、前記コード別に貯蔵されたヘッダ情報から前記抽出されたコードに対応するヘッダ情報を検索するステップと、前記音声フレームに前記検索したヘッダ情報を追加して前記目的地に伝送するステップと、を備えることを特徴とする。
【００１３】
このような目的を達成するための第４見地において、本発明は、ＡＬＬ−ＩＰ網を有する符号分割多重接続移動通信システムでシグナルフレーム及び音声フレームを少なくとも１つの送信装置から相互に異なる第１及び第２物理チャンネルを通じて受信する装置において、呼設定要求とともに前記第１物理チャンネルを通じて受信される前記シグナルフレームから前記音声フレームを目的地まで伝達するために要求されるヘッダ情報を獲得するプロトコルスタックと、前記獲得したヘッダ情報を前記送信装置を区別するために使用されるコード別に貯蔵するヘッダ情報貯蔵部と、前記呼設定が完了されると、前記第２物理チャンネルを通じて受信された前記音声フレームに使用されるコードに対応するヘッダ情報を前記ヘッダ情報貯蔵部から検索し、前記検索したヘッダ情報を前記音声フレームに追加して前記目的地に伝送するフレーム制御部と、を備えることを特徴とする。
【００１４】
このような目的を達成するための第５見地において、本発明は、ＡＬＬ−ＩＰ網を有する符号分割多重接続移動通信システムのフレーム伝送方法において、音声フレームを目的地まで伝達するために要求されるヘッダ情報をシグナルフレームを通じて伝送した後、音声データのみに前記音声フレームを構成して伝送するステップと、前記シグナルフレームから前記ヘッダ情報を獲得して貯蔵し、前記音声フレームを受信するとき前記貯蔵されたヘッダ情報を前記音声フレームに追加してコアネットワークへ伝送するステップと、を備えることを特徴とする。
【００１５】
このような目的を達成するための第６見地において、本発明は、ＡＬＬ−ＩＰ網を有する符号分割多重接続移動通信システムのフレーム伝送装置において、音声フレームを目的地まで伝達するために要求されるヘッダ情報をシグナルフレームを通じて伝送した後、音声データのみに前記音声フレームを構成して伝送する移動端末機と、前記シグナルフレームから前記ヘッダ情報を獲得して貯蔵し、前記音声フレームを受信するとき前記貯蔵されたヘッダ情報を前記音声フレームに追加してコアネットワークへ伝送するＮｏｄｅ−Ｂと、を備えることを特徴とする。
【００１６】
このような目的を達成するための第７見地において、本発明は、ＡＬＬ−ＩＰ網を有し、相互に異なる第１及び第２物理チャンネルを通じて移動端末機とシグナルフレーム及び音声フレームを伝送する符号分割多重接続移動通信システムのＮｏｄｅ−Ｂでコアネットワークから受信される伝送フレームを移動端末機へ伝送する方法において、前記コアネットワークから受信される伝送フレームの種類を判断するステップと、前記伝送フレームがシグナルフレームで判断されるとき、前記伝送フレームのヘッダ情報を除去せず、前記第１物理チャンネルを通じて前記移動端末機へ伝送するステップと、前記伝送フレームが音声フレームで判断されるとき、前記伝送フレームのヘッダ情報を除去した後、前記第２物理チャンネルを通じて前記移動端末機へ伝送するステップと、を備えることを特徴とする。
【００１７】
このような目的を達成するための第８見地において、本発明は、ＡＬＬ−ＩＰ網を有し、相互に異なる第１及び第２物理チャンネルを通じて移動端末機とシグナルフレーム及び音声フレームを伝送する符号分割多重接続移動通信システムのＮｏｄｅ−Ｂでコアネットワークから受信される伝送フレームを移動端末機へ伝送する装置において、前記移動端末機を区別するためのコード別にヘッダ情報を貯蔵するヘッダ情報貯蔵部と、前記コアネットワークから受信される伝送フレームからヘッダ情報を分離するプロトコルスタックと、前記コアネットワークから受信される伝送フレームがシグナルフレームであれば、前記伝送フレームのヘッダ情報を除去せず、前記第１物理チャンネルを通じて前記移動端末機へ伝送し、前記伝送フレームが音声フレームであれば、前記プロトコルスタックにより分離されたヘッダ情報を除去した後、前記第２物理チャンネルを通じて前記移動端末機へ伝送するフレーム制御部と、を備えることを特徴とする。
【発明の効果】
【００１８】
ＡＬＬ−ＩＰ網を支援する移動端末機とＮｏｄｅ−Ｂとの間の無線区間で発生する音声またはデータトラヒックの過度なヘッダを防止することができる。また、現在の３世代移動通信システムのみならず、多様な無線ネットワークでも同一に無線区間の帯域を効率的に使用することができる長所がある。
【発明を実施するための最良の形態】
【００１９】
以下、本発明の好適な一実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００２０】
図４は、本発明の実施例による移動端末機とＮｏｄｅ−Ｂの構成を示す。以下、図４を参照して音声フレームの伝送方法を説明する。
図４において、参照番号４００は移動端末機を示し、参照番号４２０はＮｏｄｅ−Ｂを示す。前記移動端末機４００は、電話番号またはＩＰアドレスを受信して該当ヘッダ情報を生成するためのヘッダ生成命令を出力するシグナル処理部４０１と、前記ヘッダ生成命令に応じてヘッダ情報を生成するプロトコルスタック４０３と、使用者が入力した音声を音声データに変換して一定の長さの音声フレームを出力するコーデック４０５と、前記音声フレームを第１チャンネルＣｈ１を通じて伝送し、前記ヘッダ情報を第２チャンネルＣｈ２を通じて伝送する物理階層４１３とから構成される。前記第１チャンネルＣｈ１は、トラヒックチャンネルになることができ、前記第２チャンネルＣｈ２は制御チャンネルになることができる。
【００２１】
そして、前記Ｎｏｄｅ−Ｂ４２０は、複数の移動端末機４００へ／から送受信される信号を処理するためのチャンネルエレメント４２１と、前記チャンネルエレメント４２１を通じて送受信される信号を内部構成とインタフェースするためのインタフェース部４２３と、前記インタフェース部４２３を通じて送受信されるフレームを制御するためのフレーム制御部４３１と、前記インタフェース部４２３とチャンネルエレメント４２１を通じて送受信される音声フレームのヘッダ情報を生成するためのプロトコルスタック４２５と、前記フレーム制御部４３１の制御下に前記ヘッダ情報を生成するためのシグナル処理を担当するシグナル処理部４２７と、移動端末機４００から受信されるヘッダ情報を貯蔵するヘッダ情報貯蔵部４２９とから構成される。前記移動端末機４００が前記Ｎｏｄｅ−Ｂ４２０にヘッダ情報を伝送するためのフレームは“シグナルフレーム”である。前記Ｎｏｄｅ−Ｂ４２０は、移動端末機のそれぞれのヘッダ情報を区分するために逆方向リンクで使用されるコードを利用することができる。すなわち、前記Ｎｏｄｅ−Ｂ４２０は、接続されている移動端末機のそれぞれに対するコードを検出して貯蔵し、移動端末機から受信されるヘッダ情報を検出して前記ヘッダ情報を伝送した各移動端末機に対応するコードとマッピングして貯蔵する。これは、下記表１のようである。
【００２２】
【表１】
2004536509.tif 000003
【００２３】
また、移動端末機のそれぞれのヘッダ情報を区分するために、前記Ｎｏｄｅ−Ｂ４２０は、ＵＥ ＩＤを選択的に利用することもできるが、このようなＵＥ ＩＤには、移動端末機に臨時的にＩＤを割り当てるＴＭＳＩ(Temporary Mobile Subscriber Identity)、国際的な加入者を区分するために使用されるＩＭＥＩ(International Mobile Equipment Identity)、ＩＭＳＩ(International Mobile Subscriber Identity)、ＰＭＳＩ(Packet Mobile Subscriber ID)、またはＣＥＩ(Channel Element Index)などがある。
【００２４】
前記制御チャンネルを通じて移動端末機４００からＮｏｄｅ−Ｂ４２０へ伝送されるシグナルメッセージは呼開始メッセージであることができ、前記呼開始メッセージは、下記表２のように構成される。
【００２５】
【表２】
2004536509.tif 000004
【００２６】
前記表２において、本発明による呼開始メッセージは、通常の呼開始メッセージにヘッダ情報をのせるための拡張(Extension)領域を追加に定義する。前記拡張領域は、呼開始メッセージ(Origination Message)領域を除外した残りの領域として、ヘッダの形態がＲＴＰ、ＵＤＰ及びＩＰヘッダのうちの１つを示すタイプ(Type)フィールドと、追加的な機能のためのフラグとから構成される。例えば、前記追加的な機能のためのフラグは、Ｎｏｄｅ−Ｂのバインディングキャッシュタイムなどを示すコード(Code)フィールドと、追加される拡張領域の長さを示す拡張長さ(Extension Length)フィールドと、使用されるＩＰバージョン(例えば、バージョン４(ＩＰｖ４)、バージョン６(ＩＰｖ６))情報を示すバージョン(Version)フィールドと、通話を発信した移動端末機のＩＰアドレスを示すソースＩＰアドレス(Source IP Address)フィールドと、通話を着信する移動端末機のＩＰアドレスを示す目的地ＩＰアドレス(Destination IP Address)フィールドとから構成される。
【００２７】
以下、まず、移動端末機４００が音声フレームを伝送する場合を説明し、この後にＮｏｄｅ−Ｂ４２０が音声フレームを伝送する場合を説明する。
前者の場合において、移動端末機４００は、使用者により呼試み要求が受信されると、使用者により入力された電話番号またはＩＰアドレスを生成してシグナル処理部４０１に提供する。シグナル処理部４０１は、前記電話番号またはＩＰアドレスを受信し、前記電話番号またはＩＰアドレスによるヘッダ生成命令をプロトコルスタック４０３に出力する。前記プロトコルスタック４０３は、前記ヘッダ生成命令に応答してＲＴＰヘッダ、ＵＤＰヘッダ、及びＩＰヘッダを生成してフレームハンドラー４０７のシグナルフレーム送受信部４１１へ出力する。前記フレーム送受信部４１１は、前記生成されたヘッダ情報を物理階層４１３に出力する。物理階層４１３は、前記ヘッダ情報をシグナルフレームにのせ、使用者区分のためのコードで拡散した後無線信号に変調して第２チャンネルＣｈ２を通じてＮｏｄｅ−Ｂへ伝送する。
【００２８】
前記ヘッダ情報をのせるシグナルフレームが伝送された後に、移動端末機４００は、Ｎｏｄｅ−Ｂ４２０との呼協議により通話路が形成されて使用者の音声が入力されると、コーデック４０５は、前記入力された使用者の音声を音声データに符号化して音声フレーム送受信部４０９へ出力する。前記音声フレーム送受信部４０９は、前記音声データを受信し、音声フレーム単位で物理階層４１３に出力する。物理階層４１３は、前記音声フレームを無線信号に変調して第１チャンネルＣｈ１を通じてＮｏｄｅ−Ｂ４２０に伝送する。
【００２９】
Ｎｏｄｅ−Ｂ４２０は、前記移動端末機４００が伝送したシグナルフレームを第２チャンネルＣｈ２からアンテナＡＮＴを通じて受信する。前記アンテナＡＮＴを通じて受信されたシグナルフレームは、該当チャンネルエレメント４２１に入力される。前記チャンネルエレメント４２１は、受信されたシグナルフレームから端末機コードを検出してインタフェース部４２３を通じてフレーム制御部４３１に出力し、前記無線信号の形態で受信されたシグナルフレームを復調してインタフェース部４２３を通じてプロトコルスタック４２５に出力する。フレーム制御部４３１は、前記チャンネルエレメント４２１から出力される移動端末機のコードを受信し、シグナル処理部４２７を制御してシグナルフレームを処理する全般的な動作を制御する。前記シグナル処理部４２７は、前記フレーム制御部４３１の制御下に前記プロトコルスタック４２５から入力されたシグナルフレームからヘッダを検出し、前記検出されたヘッダを前記ヘッダ情報貯蔵部４２９へ提供する。
【００３０】
フレーム制御部４３１は、前記特定の移動端末機のヘッダをヘッダ情報貯蔵部４２９に貯蔵した後に、前記チャンネルエレメント４２１を通じて受信される音声フレームに対する端末機区分のためのコードを検出し、前記検出されたコードに該当するヘッダ情報を前記ヘッダ情報貯蔵部４２９から検索し始める。前記ヘッダ情報が検索されると、フレーム制御部４３１は、前記検索されたヘッダ情報を音声フレームに加えて上位のコアネットワークに伝送する。
【００３１】
このようにして、移動端末機４００とＮｏｄｅ−Ｂ４２０との間の無線リンク上の音声伝送チャンネル、すなわち、第１チャンネルＣｈ１を通じて純粋な音声フレームのみを伝送することができる。
【００３２】
後者の場合において、Ｎｏｄｅ−Ｂ４２０は、コアネットワークからインターネットプロトコルによる伝送フレームを受信する。前記受信された伝送フレームは、音声フレームと前記音声フレームに追加されたヘッダとから構成される。前記Ｎｏｄｅ−Ｂ４２０は、コアネットワークから受信される伝送フレームから音声フレームとヘッダを分離し、前記ヘッダ情報に対応するコードをヘッダ情報貯蔵部４２９で検索する。前記対応するコードが検索されると、前記Ｎｏｄｅ−Ｂ４２０は、前記検索されたコードに対応する移動端末機４００に割り当てられた第１チャンネルＣｈ１を通じて前記音声フレームを伝送する。このとき、前記分離されたヘッダを伝送する必要がない。しかし、発信者情報を表示する必要がある場合には、前記Ｎｏｄｅ−Ｂが初期着信呼設定のとき前記音声フレームを伝送する前に前記ヘッダをシグナルフレームにのせて第２チャンネルＣｈ２を通じて移動端末機４００へ伝送することができる。具体的に、Ｎｏｄｅ−Ｂ４２０のフレーム制御部４３１は、コアネットワークからヘッダ及び音声フレームで構成される伝送フレームが受信されると、伝送フレームを伝送する移動端末機４００に対するヘッダ情報がヘッダ情報貯蔵部４２９に貯蔵されているか否かを検査する。前記移動端末機４００に対するヘッダ情報がヘッダ情報貯蔵部４２９に貯蔵されていると、フレーム制御部４３１は、前記伝送フレームをインタフェース部４２３を通じてプロトコルスタック４２５に提供し、前記シグナル処理部４２７を制御してプロトコルスタック４２５を通じて前記伝送フレームからヘッダと音声フレームを分離する。前記分離されたヘッダは、着信端末を区分するための情報としてのみ使用され、前記音声フレームは、第１チャンネルＣｈ１が割り当てられたチャンネルエレメント４２１を通じて移動端末機４００へ伝送される。
【００３３】
移動端末機４００は、前記Ｎｏｄｅ−Ｂ４２０が伝送した音声フレームを第１チャンネルＣｈ１に対する物理階層４１３を通じて受信する。前記受信された音声フレームは、音声フレーム送受信部４０９及びコーデック４０５を通じて音声に変換されて出力される。
【００３４】
図５は、本発明の実施例によるＡＬＬ−ＩＰ網を支援する移動通信システムの移動端末機で呼発信ときの音声フレームの伝送手順を示すフローチャートである。以下、図５を参照して移動端末機の音声フレームの伝送方法を具体的に説明する。
【００３５】
図５を参照すると、移動端末機４００は、ステップ５０１で使用者により呼試み要求が入力されるか否かを検査する。使用者により呼試み要求が入力されると、移動端末機４００は、ステップ５０３で、使用者から入力された電話番号またはＩＰアドレスに応答してシグナリング処理部４０１及びプロトコルスタック４０３でヘッダを生成する。ステップ５０３で前記ヘッダが生成されると、ステップ５０５で、移動端末機４００は、前記ヘッダをシグナルフレームにのせ、ステップ５０７へ進行してシグナルフレーム送受信部４１１が端末機区分のためのコードを利用してシグナルフレームを前記ヘッダで拡散して物理階層４１３の第２チャンネルＣｈ２を通じてＮｏｄｅ−Ｂへ伝送する。前記移動端末機４００は、前記シグナルフレームの伝送の後、ステップ５０９へ進行して既存のチャンネルまたは音声データのみを専用に伝送することができる別途の音声専用チャンネルを設定する。この後、使用者から音声が入力されると、移動端末機４００のコーデック４０５は、前記入力された音声を音声データに変換して音声フレーム送信部４０９へ伝送し、前記音声フレーム送信部４０９は、前記受信された音声データを一定の長さを有する音声フレームで構成して出力する。前記音声フレームは、物理階層４１３に入力されて端末機区分のための固有のコードにより拡散された後、前記既存チャンネルまたは別途の音声専用チャンネルである第１チャンネルＣｈ１を通じてＮｏｄｅ−Ｂへ伝送される。しかし、音声が受信されないと、移動端末機４００は、ステップ５０３へ戻ってステップ５０３の過程を反復して遂行する。
【００３６】
図６は、本発明の実施例によるＡＬＬ−ＩＰ網を支援する移動通信システムの移動端末機が音声フレームを受信するための手順を示すフローチャートである。以下、図６を参照して音声フレームの受信方法を説明する。
【００３７】
図６を参照すると、移動端末機４００は、ステップ６０１で呼が着信されるか否かを周期的に検査する。このとき、呼が着信されると、移動端末機４００は、ステップ６０３へ進行してフレームが受信されるか否かを検査する。フレームが受信されると、ステップ６０５で、移動端末機４００は、前記受信されたフレームがシグナルフレームであるか音声フレームであるかを判断し、音声フレームであればステップ６０９へ進行し、シグナルフレームであればステップ６０７へ進行する。ここで、前記シグナルフレームは通常的なシグナルフレームであり、発信者の情報を受信する必要がある場合には、移動端末機４００は、本発明によるシグナルフレームを受信することもできる。ステップ６０９で、移動端末機４００は前記音声フレームを音声に復調して出力し、ステップ６０７で、移動端末機４００は、前記シグナルフレームにより呼着信を知らせ、前記シグナルフレームが本発明によるシグナルフレームである場合、前記シグナルフレームからヘッダを検出し、検出されたヘッダ情報を分析して出力する。前記分析されたヘッダ情報が移動端末機４００の表示装置などに表示されて使用者に発信側の情報を知らせることができる。ステップ６０７またはステップ６０９の後に、移動端末機４００は、ステップ６１１へ進行して呼が終了されるか否かを検査し、呼が終了されないとステップ６０３へ戻る。
【００３８】
図７は、本発明の実施例によるＡＬＬ−ＩＰ網を支援する移動通信システムのＮｏｄｅ−Ｂで音声フレームを処理する手順を示すフローチャートである。以下、図７を参照して本発明によるＮｏｄｅ−Ｂの音声フレームの処理方法を説明する。
【００３９】
図７を参照すると、ステップ７０１で、Ｎｏｄｅ−Ｂ４２０は、チャンネルエレメント４２１を通じて移動端末機４００からフレームが受信されるか否かを持続的に検査する。前記チャンネルエレメント４２１を通じてフレームが受信されると、Ｎｏｄｅ−Ｂ４２０は、ステップ７０３で前記フレームが音声フレームであるかシグナルフレームであるかを判断する。前記受信されたフレームがシグナルフレームであれば、ステップ７２１へ進行して前記シグナルフレームに含まれているヘッダ情報を検出する。その後、Ｎｏｄｅ−Ｂ４２０は、前記ヘッダ情報を伝送した特定の移動端末機４００を区分するためのコードと同一のコードが前記ヘッダ情報貯蔵部４２９にあるか否かを検査する。Ｎｏｄｅ−Ｂ４２０は、前記検査結果、前記移動端末機に対するヘッダ情報があればステップ７２５へ進行し、ヘッダ情報貯蔵部４２９のテーブルにヘッダ情報がなければステップ７２９へ進行する。ステップ７２９で、Ｎｏｄｅ−Ｂ４２０は、前記検出されたヘッダ情報を前記移動端末機のコードとともにヘッダ情報貯蔵部４２９に貯蔵する。しかし、テーブルに前記移動端末機に対するヘッダ情報がある場合には、前記検出されたヘッダ情報を貯蔵する必要がないので、 Ｎｏｄｅ−Ｂ４２０は、ステップ７２５でシグナル処理を遂行する。すなわち、前記ヘッダ情報貯蔵部４２９に貯蔵されている前記移動端末機に対するヘッダ情報をシグナルフレームにのせ、ステップ７２７へ進行してコアネットワークに伝送する。
【００４０】
前記シグナリングメッセージは移動端末機から受信された場合であり、特定の移動端末機に呼を着信させなければならない場合、 Ｎｏｄｅ−Ｂ４２０は、コアネットワークからシグナリングメッセージを受信して特定の移動端末機へ伝送する。これは、通常的な動作により処理されるので、その説明を省略する。しかし、前述したように、発信者の情報を必要とする移動端末機である場合、 Ｎｏｄｅ−Ｂ４２０は、本発明によるシグナリングメッセージ、すなわち、ヘッダ情報を有するシグナルフレームを移動端末機へ伝送することもできる。
【００４１】
ステップ７０３で受信されたフレームが音声フレームであれば、Ｎｏｄｅ−Ｂ４２０はステップ７０５へ進行して前記音声フレームが移動端末機４００から受信されたものであるか、コアネットワークから受信されたものであるかを検査する。検査結果、前記音声フレームが移動端末機４００から受信されたものであれば、Ｎｏｄｅ−Ｂ４２０はステップ７０７へ進行し、 前記音声フレームがコアネットワークから受信されたものであればステップ７１５へ進行する。ステップ７０７で、Ｎｏｄｅ−Ｂ４２０は、前記ヘッダ情報貯蔵部４２９のテーブルを検査して移動端末機４００に対するヘッダ情報があるか否かを検査する。前記ヘッダ情報貯蔵部４２９にヘッダ情報が存在しないと、Ｎｏｄｅ−Ｂは、ステップ７１３へ進行してエラー処理を遂行し、ヘッダ情報があるとステップ７０９へ進行して前記貯蔵されているヘッダ情報によりヘッダを生成し、ＲＴＰ、ＵＤＰ及びＩＰによるプロトコル動作を遂行した後、ステップ７１１で、 Ｎｏｄｅ−Ｂは、前記ヘッダを音声フレームに加えてコアネットワークへ伝送する。
【００４２】
しかし、前記受信された音声フレームが移動端末機ではないコアネットワークから受信されたものであれば、ステップ７１５で、Ｎｏｄｅ−Ｂ４２０は、ステップ７０７でのようにヘッダ情報貯蔵部４２９のテーブルに前記音声フレームを受信する移動端末機に対するヘッダ情報があるか否かを検査する。Ｎｏｄｅ−Ｂ４２０は、前記ヘッダ情報貯蔵部４２９に移動端末機に対するヘッダ情報がなければ前記ステップ７１３へ進行してエラー処理を遂行し、ヘッダ情報があれば、ステップ７１７へ進行してプロトコル動作を遂行し、ヘッダ及び音声フレームで構成される伝送フレームからヘッダを除去する。その後、ステップ７１９で、 Ｎｏｄｅ−Ｂ４２０は、前記ヘッダが除去された音声フレームを前記第１チャンネルＣｈ１を通じて移動端末機４００へ伝送される。本発明は、音声フレームにのみ適用されているが、データフレームにも同一に適用されることができる。
【００４３】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【００４４】
【図１】ＡＬＬ−ＩＰ網を支援する一般的な移動通信システムの構成を示す図。
【図２】ＡＬＬ−ＩＰ網を支援する一般的な移動通信システムで音声フレームを含む伝送フレームを送信するための移動端末機とＮｏｄｅ−Ｂの概略的な構成を示す図。
【図３】ＡＬＬ−ＩＰ網を支援する一般的な移動通信システムで移動端末機とＮｏｄｅ−Ｂとの間に送受信される伝送フレームの構造を示す図。
【図４】本発明の実施例によるＡＬＬ−ＩＰ網を支援する移動通信システムで音声フレームを伝送するための移動端末機及びＮｏｄｅ−Ｂの構成を示す図。
【図５】本発明の実施例によるＡＬＬ−ＩＰ網を支援する移動通信システムの移動端末機で音声フレームを伝送するための手順を示すフローチャート。
【図６】本発明の実施例によるＡＬＬ−ＩＰ網を支援する移動通信システムの移動端末機で音声フレームを受信するための手順を示すフローチャート。
【図７】本発明の実施例によるＡＬＬ−ＩＰ網を支援する移動通信システムのＮｏｄｅ−Ｂで音声フレームを処理するための手順を示すフローチャート。
【符号の説明】
【００４５】
４００    移動端末機
４０１，４２７    シグナル処理部
４０３，４２５    プロトコルスタック
４０５    コーデック
４０７    フレームハンドラー
４０９    音声フレーム送受信部
４１１    シグナルフレーム送受信部
４１３    物理階層
４２０    Ｎｏｄｅ−Ｂ
４２１    チャンネルエレメント
４２３    インタフェース部
４２９    ヘッダ情報貯蔵部
４３１    フレーム制御部
【国際公開パンフレット】
2004536509.tif 000005
2004536509.tif 000006
2004536509.tif 000007
2004536509.tif 000008
2004536509.tif 000009
2004536509.tif 000010
2004536509.tif 000011
2004536509.tif 000012
2004536509.tif 000013
2004536509.tif 000014
2004536509.tif 000015
2004536509.tif 000016
2004536509.tif 000017
2004536509.tif 000018
2004536509.tif 000019
2004536509.tif 000020
2004536509.tif 000021
2004536509.tif 000022
2004536509.tif 000023
2004536509.tif 000024
2004536509.tif 000025
2004536509.tif 000026
2004536509.tif 000027
2004536509.tif 000028
2004536509.tif 000029
2004536509.tif 000030
2004536509.tif 000031
2004536509.tif 000032
2004536509.tif 000033
2004536509.tif 000034
2004536509.tif 000035
2004536509.tif 000036
2004536509.tif 000037
2004536509.tif 000038
【国際調査報告】
2004536509.tif 000039